(57)【要約】      （修正有）【課題】引出し本体への鏡板の組付け作業性を向上できる鏡板取付け具及び鏡板の取付け具を提供する。【解決手段】板取付け具１０の取付け具本体２０におけるベース部３０からは、鏡板１６の取付け孔４８に挿入する固定部３２が突出形成されており、ベース部３０の外周部には、メイントレイ１４の凹部１５の内周部に弾性変形し、接触する複数の弾性片３４、３６が形成され、メイントレイ１４の前板部１４Ａの凹部１５の底部に形成された取付け孔に挿入されたビス２６は、取付け具本体２０の凹部４０の底部に形成された取付け孔を通りナット２４に締結され、取付け具本体２０を凹部１５の内部に収納すると複数の弾性片３４、３６が、凹部１５の内周部に弾性変形により接触して、板取付け具１０が凹部１５の内部に保持される。【選択図】図１
2015123347.tif 000002
【特許請求の範囲】
【請求項１】
上下方向と左右方向との何れか一方に長い長孔が形成されたベース部と、
前記ベース部から突出形成され、鏡板に形成された取付け孔に固定される固定部と、
前記ベース部の外周部に形成された弾性変形可能な複数の弾性片と、
を備え、
引出し本体の前板部に形成された凹部の内部に前記複数の弾性片が弾性変形して接触することで保持される取付け具本体と、
前記ベース部の取付け孔と、前記引出し本体に形成された上下方向と左右方向との何れか他方に長い長孔と、に挿通され、前記引出し本体に前記取付け具本体を固定するための締結部材と、
を有する鏡板取付け具。
【請求項２】
前記締結部材は、前記ベース部に摺動可能に設けられたナット部材と、前記引出し本体の取付け孔側から挿入され前記ナット部材に締結されるボルト部材とからなる請求項１に記載の鏡板取付け具。
【請求項３】
前記ナット部材と前記ベース部との摺動面には、互いに係合し合う係合部が設けられている請求項２に記載の鏡板取付け具。
【請求項４】
前記固定部は、２箇所以上形成され、前記鏡板の取付け孔に挿入され弾性変形により前記鏡板の取付け孔の内周に係合する係合爪部を有する請求項１〜３の何れか１項に記載の鏡板取付け具。
【請求項５】
請求項１〜４に記載の鏡板取付け具と、
前板部の左右方向両端部にそれぞれ凹部が形成され、前記凹部の底部に上下方向と左右方向との他方に長い長孔が設けられた引出し本体と、
前記引出し本体への取付け面における左右方向両端部にそれぞれ取付け孔が形成された鏡板と、
を備えている鏡板の取付け構造。
【発明の詳細な説明】
【技術分野】
【０００１】
本発明は、引出し本体への鏡板（化粧用前面板）の取付けに用いる鏡板取付け具及び鏡板の取付け構造に関するものである。
【背景技術】
【０００２】
従来、引出し本体への鏡板の取付けについては、例えば、特許文献１がある。この従来技術では、箱状引出し本体の前板部の両端に左右に延出された顎部を設け、これらの顎部と鏡板の間に位置調整用補助板を介在させている。そして、位置調整用補助板を鏡板に固定すると共に顎部にビス直径より大きく穿設された位置調整用孔部を挿通して、顎部の裏面からビス止め手段によって箱状引出し本体に位置調整用補助板を固定している。
【先行技術文献】
【特許文献】
【０００３】
【特許文献１】特許第２９０９９５３号公報
【発明の概要】
【発明が解決しようとする課題】
【０００４】
しかしながら、特許文献１では、鏡板に固定された位置調整用補助板と、箱状引出し本体とを固定する際に、固定作業が完了するまでは、位置調整用補助板と箱状引出し本体との位置関係が安定しない。このため、組付け作業が煩雑となり組付け作業性がよくない。
【０００５】
本発明は上記事実を考慮し、引出し本体への鏡板の組付け作業性を向上できる鏡板取付け具及び鏡板の取付け構造を得ることを課題とする。
【課題を解決するための手段】
【０００６】
請求項１に記載の発明の鏡板取付け具は、上下方向と左右方向との何れか一方に長い長孔が形成されたベース部と、前記ベース部から突出形成され、鏡板に形成された取付け孔に固定される固定部と、前記ベース部の外周部に形成された弾性変形可能な複数の弾性片と、を備え、引出し本体の前板部に形成された凹部の内部に前記複数の弾性片が弾性変形して接触することで保持される取付け具本体と、前記ベース部の取付け孔と、前記引出し本体に形成された上下方向と左右方向との何れか他方に長い長孔と、に挿通され、前記引出し本体に前記取付け具本体を固定するための締結部材と、を有する。
【０００７】
請求項１に記載の発明の鏡板取付け具では、取付け具本体のベース部から突出形成された固定部を鏡板に形成された取付け孔に固定する。その後、引出し本体の前板部に形成された凹部の内部に取付け具本体を収納する。その際、ベース部の外周部に形成された複数の弾性片が、凹部の内周部に弾性変形し接触することで、鏡板取付け具を凹部の内部の所定の位置に保持できる。そして、ベース部に設けられた上下方向と左右方向との何れか一方に長い長孔と、引出し本体に形成された上下方向と左右方向との何れか他方に長い長孔と、に締結部材を挿通し、鏡板の取付け位置を上下左右方向へ調整した後、締結部材により、鏡板が固定された鏡板取付け具を引出し本体に固定する。このように、組付け時に、取付け具本体のベース部の外周部に形成された複数の弾性片が、凹部の内周部に弾性変形し接触することで、鏡板取付け具を凹部の内部の所定の位置に仮止めできる。このため、鏡板が固定された鏡板取付け具と、引出し本体の前板部に形成された凹部との位置関係が安定する。この結果、引出し本体への鏡板の組付け作業性が向上する。
【０００８】
請求項２に記載の発明は請求項１記載の鏡板取付け具において、前記締結部材は、前記ベース部に摺動可能に設けられたナット部材と、前記引出し本体の取付け孔側から挿入され前記ナット部材に締結されるボルト部材とからなる。
【０００９】
請求項２に記載の発明の鏡板取付け具では、鏡板の取付け位置を上下左右方向へ調整する際に、締結部材のナット部材をベース部に対して摺動させることができるため、鏡板の取付け時の調整がさらに容易になる。
【００１０】
請求項３に記載の発明は請求項２記載の鏡板取付け具において、前記ナット部材と前記ベース部との摺動面には、互いに係合し合う係合部が設けられている。
【００１１】
請求項３に記載の発明の鏡板取付け具では、締結部材のナット部材をベース部に対して摺動させた際に、ナット部材とベース部との摺動面に設けられた係合部が互いに係合し合う。このため、位置決め後、引出し本体に鏡板を固定する際の鏡板の位置ずれを防止できる。この結果、鏡板の組付け作業性がさらに向上する。
【００１２】
請求項４に記載の発明は請求項１〜３の何れか１項に記載の鏡板取付け具において、前記固定部は、２箇所以上形成され、前記鏡板の取付け孔に挿入され弾性変形により前記鏡板の取付け孔の内周に係合する係合爪部を有する。
【００１３】
請求項４に記載の発明の鏡板取付け具では、固定部を鏡板に形成された取付け孔に固定する際に、固定部に２箇所以上形成された係合爪部が、鏡板の取付け孔に挿入され弾性変形により鏡板の取付け孔の内周に係合する。このため、鏡板取付け具を鏡板に固定する際に、鏡板取付け具を鏡板に仮止めできる。この結果、組付け作業性がさらに向上する。
【００１４】
請求項５に記載の発明の鏡板取付け構造は、請求項１〜４に記載の鏡板取付け具と、前板部の左右方向両端部にそれぞれ凹部が形成され、前記凹部の底部に上下方向と左右方向との他方に長い長孔が設けられた引出し本体と、前記引出し本体への取付け面における左右方向両端部にそれぞれ取付け孔が形成された鏡板と、を備えている。
【００１５】
請求項５に記載の発明の鏡板取付け構造は、請求項１〜請求項４の何れか１項に記載の鏡板取付け具を備えているため、前述した如き作用効果を奏する。
【発明の効果】
【００１６】
請求項１に記載の本発明の鏡板取付け具は、上記構成としたので、引出し本体への鏡板の組付け作業性を向上できる。
【００１７】
請求項２に記載の本発明の鏡板取付け具は、上記構成としたので、引出し本体への鏡板の取付け時の調整がさらに容易になる。
【００１８】
請求項３に記載の本発明の鏡板取付け具は、上記構成としたので、引出し本体への鏡板の組付け作業性をさらに向上できる。
【００１９】
請求項４に記載の本発明の鏡板取付け具は、上記構成としたので、引出し本体への鏡板の組付け作業性をさらに向上できる。
【００２０】
請求項５に記載の本発明の鏡板取付け構造は、上記構成としたので、引出し本体への鏡板の組付け作業性を向上できる。
【図面の簡単な説明】
【００２１】
【図１】本発明の一実施形態に係る鏡板取付け構造を示す斜視図である。
【図２】図１の２−２断面線に沿った断面図である。
【図３】本発明の一実施形態に係る取付け具本体を示す正面図である。
【図４】本発明の一実施形態に係る取付け具本体を示す側面図である。
【図５】本発明の一実施形態に係る鏡板取付け構造が適用された引出しを示す分解斜視図である。
【図６】本発明の他の実施形態に係る取付け具本体を示す正面図である。
【発明を実施するための形態】
【００２２】
本発明の一実施形態に係る鏡板取付け具及び鏡板の取付け構造について図１〜図５に従って説明する。
なお、図中矢印ＦＲは本実施形態の鏡板取付け具が適用されたキッチンキャビネットの前方方向を、矢印ＵＰはキッチンキャビネットの上方方向を示す。
【００２３】
図５に示すように、本実施形態の鏡板取付け具１０が適用された引出し１２は、引出し本体としてのメイントレイ１４と、メイントレイ１４の前面に固定される鏡板１６と、を備えている。また、メイントレイ１４の前板部１４Ａにおける前面の左右方向両端部近傍には、上下方向に長い矩形状の凹部１５が形成されている。なお、メイントレイ１４にはサブトレイ１８が着脱可能となっている。
【００２４】
鏡板取付け具１０は取付け具本体２０と締結部材２２とを備えており、締結部材２２はナット部材としてのナット２４と、このナット２４に締結されるボルト部材としてのビス２６とを備えている。
【００２５】
図１に示すように、取付け具本体２０は、ベース部３０と一対（２箇所）の固定部３２と複数の弾性片３４、３６を備えている。ベース部３０は上下方向に長い長円形のブロック状となっており、ベース部３０の前面の長手方向中央部には上下方向に長い凹部４０が形成されている。
【００２６】
図３に示すように、凹部４０の底部４０Ａには、略中央には取付け孔４２が形成されており、この取付け孔４２は上下方向に長い長孔となっている。また、凹部４０の底部４０Ａにおける取付け孔４２の周囲には、左右方向に沿った凹部と凸部とが上下方向に沿って交互に形成された係合部としての凹凸部４４が形成されている。
【００２７】
図２に示すように、凹凸部４４は登り傾斜面と下り傾斜面とが連続する鋸歯形状となっており、取付け孔４２より上方の部位から取付け孔４２より下方の部位にかけて形成されている。また、一対の固定部３２は、ベース部３０の前面の上下方向両端部近傍から前方へ向かってそれぞれ突出形成されており、鏡板１６の裏面１６Ａに形成された取付け孔４８に挿入可能となっている。
【００２８】
図４に示すように、固定部３２は上下一対の係合爪部４６を備えている。これらの係合爪部４６の間には隙間が形成されており、各係合爪部４６は、互いに離間する方向（図４の矢印Ｅ方向）と互いに接近する方向（図４の矢印Ｅと反対方向）へ弾性変形可能となっている。また、図２に示すように、一対の係合爪部４６の間には軸線方向に沿って貫通孔５０が形成されており、この貫通孔５０にベース部３０の後面側からビス５２を捩じ込むと、上下一対の係合爪部４６が互いに離間する方向（図４の矢印Ｅ方向）へ弾性変形するようになっている。また、係合爪部４６の外周部は円弧状となっており、この外周部には軸線方向に沿って滑り止め４６Ａが形成されている。従って、一対の固定部３２を鏡板１６の裏面１６Ａに形成された取付け孔４８に挿入することで、固定部３２に形成された上下一対の係合爪部４６が互いに接近する方向へ弾性変形し復帰しようとすることで取付け孔４８の内周に係合する。このため、取付け具本体２０を鏡板１６に固定する際に、取付け具本体２０を鏡板１６に仮止めできるようになっている。また、貫通孔５０にビス５２を捩じ込むことで、一対の係合爪部４６が取付け孔４８の内周部に押し付けられ、取付け具本体２０が鏡板１６の裏面１６Ａに固定されるようになっている。
【００２９】
図３に示すように、複数の弾性片３４、３６は、ベース部３０の外周部３０Ａに突出形成されており、それぞれベース部３０の厚さ方向を幅方向する薄板状となっている。また、弾性片３４は、外周部３０Ａにおける上端部と下端部にそれぞれ一対形成されている。そして、上端部の弾性片３４は、ベース部３０の上端３０Ｂから左右方向へ等距離の位置からベース部３０の上方へ互いに離間する方向へ向かって斜めに延設されており、下方（図３の矢印Ａ方向）と上方（図３の矢印Ａと反対方向）へ弾性変形可能となっている。一方、下端部の弾性片３４は、ベース部３０の下端３０Ｃから左右方向へ等距離の位置からベース部３０の下方へ互いに離間する方向へ向かって斜めに延設されており、上方（図３の矢印Ｂ方向）と下方（図３の矢印Ｂと反対方向）へ弾性変形可能となっている。
【００３０】
弾性片３６は弾性片３４より長く、外周部３０Ａにおける左側壁部３０Ｄと右側壁部３０Ｅとにそれぞれ一つ形成されている。左側壁部３０Ｄの弾性片３６は、左側壁部３０Ｄの下部近傍からベース部３０の上方へ左側壁部３０Ｄから離間する方向へ斜めに延設されており、左側壁部３０Ｄに接近する方向（図３の矢印Ｃ方向）と離間（図３の矢印Ｃと反対方向）へ弾性変形可能となっている。一方、右側壁部３０Ｅの弾性片３６は、右側壁部３０Ｅの上部近傍からベース部３０の下方へ右側壁部３０Ｅから離間する方向へ斜めに延設されており、右側壁部３０Ｅに接近する方向（図３の矢印Ｄ方向）と離間（図３の矢印Ｄと反対方向）へ弾性変形可能となっている。
【００３１】
そして、図１に示すように、メイントレイ１４の前板部１４Ａに形成された凹部１５の内部に取付け具本体２０を挿入すると、ベース部３０の上部に設けた一対の弾性片３４は、下方（図３の矢印Ａ方向）へ弾性変形して凹部１５の上側内周面１５Ａに接触し、ベース部３０の下部に設けた一対の弾性片３４は、上方（図３の矢印Ｂ方向）へ弾性変形して凹部１５の下側内周面１５Ｂに接触するようになっている。また、ベース部３０の左側壁部３０Ｄの弾性片３６は、左側壁部３０Ｄに接近する方向（図３の矢印Ｃ方向）へ弾性変形して凹部１５の左側内周面１５Ｃに接触し、ベース部３０の右側壁部３０Ｅの弾性片３６は、左側壁部３０Ｄに接近する方向（図３の矢印Ｄ方向）へ弾性変形して凹部１５の右側内周面１５Ｄに接触するようになっている。この結果、弾性片３４、３６の弾性変形により、取付け具本体２０が凹部１５の内部における中央部に保持されるようになっている。
【００３２】
図５に示すように、締結部材２２のナット２４は矩形板状となっており、中央部に螺子孔６０が形成されている。
【００３３】
図１に示すように、ナット２４はベース部３０の凹部４０の内部に上下方向へ摺動可能に設けられている。また、ベース部３０の左側壁部３０Ｄと右側壁部３０Ｅには、凹部４０の内側に向かって凸部４１が形成されており、これらの凸部４１がナット２４の外周部に当たることで凹部４０からナット２４が容易に外れないようになっている。
【００３４】
図２に示すように、ナット２４の後面には、左右方向に沿った凹部と凸部とが上下方向に沿って交互に形成された係合部としての凹凸部６２が形成されている。この凹凸部６２は登り傾斜面と下り傾斜面とが連続する鋸歯形状となっており、取付け具本体２０の凹凸部４４と噛み合うようになっている。
【００３５】
図５に示すように、締結部材２２のビス２６は、メイントレイ１４の前板部１４Ａの凹部１５の底部１５Ｅを貫通する取付け孔６４にメイントレイ１４の内側から挿入されている。また、取付け孔６４は左右方向に長い長孔となっており、取付け孔６４に挿入されたビス２６は取付け具本体２０の取付け孔４２を通りナット２４の螺子孔６０に締結されるようになっている。
【００３６】
従って、メイントレイ１４と鏡板１６との位置決め後、ビス２６をナット２４に締め込むことで、鏡板取付け具１０を介してメイントレイ１４に鏡板１６を固定できるようになっている。この際、ビス２６をナット２４に軽く締め込むことで、凹凸部６２と凹凸部４４とが上下方向へ摺動可能に噛み合うようになっている。
【００３７】
（作用・効果）
次に、本実施形態の作用及び効果について説明する。
本実施形態では、引出し１２のメイントレイ１４に鏡板１６を組付ける際に、先ず、鏡板取付け具１０の取付け具本体２０におけるベース部３０から突出形成された一対の固定部３２を、鏡板１６の裏面１６Ａに形成された取付け孔４８に挿入する。この際、固定部３２に形成された上下一対の係合爪部４６が互いに接近する方向へ弾性変形し復帰しようとすることで、取付け孔４８の内周に係合する。
【００３８】
次に、図２に示すように、各固定部３２の上下一対の係合爪部４６の間に軸線方向に沿って形成された貫通孔５０に、ベース部３０の後面からビス５２を捩じ込み、上下一対の係合爪部４６を互いに離間する方向へ変形させる。これにより、外周部に軸線方向に沿って滑り止め４６Ａが形成されている一対の係合爪部４６が取付け孔４８の内周部に押し付けられ、取付け具本体２０が鏡板１６の裏面１６Ａに固定される。
【００３９】
その後、図１に示すように、鏡板１６に固定された鏡板取付け具１０の取付け具本体２０をメイントレイ１４の前板部１４Ａにおける前面の左右方向両端部近傍に形成された上下方向に長い矩形状の凹部１５の内部に収納する。その際、取付け具本体２０のベース部３０の外周部に形成された複数の弾性片３４、３６が、凹部１５の内周部に弾性変形し接触する。
【００４０】
より具体的に説明すると、ベース部３０の上部に設けた一対の弾性片３４は、下方（図３の矢印Ａ方向）へ弾性変形して凹部１５の上側内周面１５Ａに接触し、ベース部３０の下部に設けた一対の弾性片３４は、上方（図３の矢印Ｂ方向）へ弾性変形して凹部１５の下側内周面１５Ｂに接触する。また、ベース部３０の左側壁部３０Ｄの弾性片３６は、左側壁部３０Ｄに接近する方向（図３の矢印Ｃ方向）へ弾性変形して凹部１５の左側内周面１５Ｃに接触し、ベース部３０の右側壁部３０Ｅの弾性片３６は、左側壁部３０Ｄに接近する方向（図３の矢印Ｄ方向）へ弾性変形して凹部１５の右側内周面１５Ｄに接触する。この結果、弾性片３４、３６の弾性変形により、取付け具本体２０が凹部１５の内部における中央部に保持（仮止め）される。
【００４１】
次に、締結部材２２のビス２６を、メイントレイ１４の前板部１４Ａの凹部１５の底部１５Ｅに形成された取付け孔６４に、メイントレイ１４の内側から挿入する。さらに、取付け孔６４に挿入したビス２６を取付け具本体２０の取付け孔４２を通し、ナット２４の螺子孔６０に締結させる。その際、上下方向に長い長孔となっている取付け孔４２と、左右方向に長い長円となっている取付け孔６４と、に挿通したビス２６に対して、鏡板１６の取付け位置を上下左右方向へ調整する。そして、調整が完了したら、ビス２６を本止めしてメイントレイ１４と、鏡板１６に固定された鏡板取付け具１０とを固定する。
【００４２】
このように、本実施形態では、組付け時に、鏡板取付け具１０の取付け具本体２０のベース部３０の外周部に形成された複数の弾性片３４、３６が、凹部１５の内周部に弾性変形し接触することで、鏡板１６に固定された鏡板取付け具１０をメイントレイ１４の前板部１４Ａに形成された凹部１５の内部の中央部（所定の位置）に仮止めできる。このため、鏡板１６に固定された鏡板取付け具１０と、メイントレイ１４の前板部１４Ａに形成された凹部１５との位置関係が安定する。この結果、メイントレイ１４への鏡板１６の組付け作業性が向上する。
【００４３】
また、本実施形態では、鏡板１６の取付け位置を上下左右方向へ調整する際に、締結部材２２のナット２４を、取付け具本体２０のベース部３０に対して上下方向へ摺動させることができる。このため、鏡板１６の取付け時における上下方向の調整がさらに容易になる。
【００４４】
また、本実施形態では、締結部材２２のナット２４を取付け具本体２０のベース部３０に対して上下方向へ摺動させた際に、凹部４０の底部４０Ａに形成された凹凸部４４と、ナット２４の後面に形成された凹凸部６２とが互いに係合し合う。このため、位置決めした後、メイントレイ１４へ鏡板１６を固定する際の鏡板１６の上下方向への位置ずれを防止できる。この結果、鏡板１６の組付け作業性がさらに向上する。
【００４５】
また、本実施形態では、鏡板取付け具１０の取付け具本体２０のベース部３０から突出形成された固定部３２を、鏡板１６の裏面１６Ａに形成された取付け孔４８に挿入すると、固定部３２に形成された上下一対の係合爪部４６が互いに接近する方向へ弾性変形し復帰しようとすることで、取付け孔４８の内周に係合する。このため、取付け具本体２０を鏡板１６に固定する際に、取付け具本体２０を鏡板１６に仮止めできる。この結果、組付け作業性をさらに向上することができる。
【００４６】
（その他の実施形態）
以上に於いては、本発明を特定の実施形態について詳細に説明したが、本発明は上記実施形態に限定されるものではなく、本発明の範囲内にて他の種々の実施形態が可能であることは当業者にとって明らかである。
【００４７】
例えば、上記実施形態では、取付け具本体２０のベース部３０における凹部４０の底部４０Ａに上下方向に長い取付け孔４２を形成したが、これに代えて、図６に示す他の実施形態のように、取付け孔４２を、左右方向に長い長孔としてもよい。なお、図６の場合には、凹部４０の底部４０Ａに形成する凹凸部４４を上下方向に沿った凹部と凸部とが左右方向に沿って交互に形成された構成とすると共に、メイントレイ１４の前板部１４Ａの凹部１５の底部１５Ｅに形成する取付け孔６４を上下方向に長い長孔とする。
【００４８】
また、上記各実施形態では、弾性片３４をベース部３０の外周部３０Ａにおける上端部と下端部にそれぞれ一対形成し、弾性片３６を外周部３０Ａにおける左側壁部３０Ｄと右側壁部３０Ｅとにそれぞれ一つ形成したが、弾性片３４、３６の数及び外周部３０Ａにおける位置は、上記各実施形態に限定されない。また、弾性片３４、３６の形状も直線状に伸びる上記各実施形態に限定されず、湾曲した形状等の他の形状としてもよい。
【００４９】
また、上記各実施形態では、取付け具本体２０のベース部３０に一対（２箇所）の固定部３２を形成したが、これに代えて、取付け具本体２０のベース部３０の２箇所以上に固定部を形成した構成としてもよい。
【００５０】
また、上記各実施形態では、本発明の鏡板取付け具１０をキッチンキャビネットの引出し１２に適用したが、本発明の鏡板取付け具は机等の他の引出しにも適用可能である。
【符号の説明】
【００５１】
１０    鏡板取付け具
１２    引出し
１４    メイントレイ（引出し本体）
１５    凹部
１６    鏡板
２０    取付け具本体
２２    締結部材
２４    ナット（ナット部材）
２６    ビス（ボルト部材）
３０    ベース部
３２    固定部
３４    弾性片
３６    弾性片
４２    取付け孔
４４    凹凸部（係合部）
４６    係合爪部
６２    凹凸部（係合部）
６４    取付け孔
【図１】
2015123347.tif 000003
【図２】
2015123347.tif 000004
【図３】
2015123347.tif 000005
【図４】
2015123347.tif 000006
【図５】
2015123347.tif 000007
【図６】
2015123347.tif 000008